(57)【要約】  デジタル放送レシーバのためのインターフェイスモジュールであって、トランスポートストリームジェネレータとアプリケーションを保持する記憶手段とを含み、トランスポートストリームジェネレータはアプリケーションを記憶手段からレシーバによる受け取りのためのインターフェイスに配信するように適合したインターフェイスモジュール。このように、アプリケーションは放送アプリケーションのようにレシーバに到着し、同様に取り扱われる。そのようなアプリケーションの放送を許容する標準があり、本発明のCIモジュールがこれを擬態するので、コンパチビリティの問題が解決される。サードパーティは、バンド幅を借りることなく、また異なるレシーバのために複数のモジュールの在庫を準備して持つことなく、アプリケーションを配信できる。モジュールは、アプリケーションをそのままの場所で、例えば、リードオンリ記憶手段に記憶したままで、準備可能である。あるいは、モジュールは、開発者がモジュールを一般的な運搬手段として使えるように、書き込み可能かつ好ましくは不揮発性の記憶手段で供給することができる。さらなる開発において、モジュールの記憶手段は、CD-ROM、CD-R、CD-RW、Zip、Minidisk、テープ、PCMCIA等のリムーバブルな記憶メディアであってもよい。本発明は、上記のいずれかのモジュールが取り付けられた共通インターフェイスを有するデジタル放送レシーバにも関し、上記のいずれかのモジュールを設けるステップと、アプリケーションをモジュールに記憶するステップと、モジュールを配信するステップを含むデジタル放送レシーバにアプリケーションを配信する方法にも関する。
2005513923.tif 000002
【特許請求の範囲】
【請求項１】
トランスポートストリームジェネレータとアプリケーションを保持する記憶手段を含むデジタル放送レシーバのためのインターフェイスモジュールであって、
前記トランスポートストリームジェネレータは、前記記憶手段から前記レシーバによる受け取りのためのインターフェイスにアプリケーションを送るように適合していることを特徴とするインターフェイスモジュール。
【請求項２】
デジタル放送レシーバの共通インターフェイスに適合した、請求項１記載のインターフェイスモジュール。
【請求項３】
前記記憶手段にすぐ使える状態でアプリケーションを含むことを特徴とする、請求項１または２記載のインターフェイスモジュール。
【請求項４】
前記記憶手段は読み出し専用であることを特徴とする、請求項１ないし３いずれか一項記載のインターフェイスモジュール。
【請求項５】
前記記憶手段は読み書き可能であることを特徴とする、請求項１ないし３いずれか一項記載のインターフェイスモジュール
【請求項６】
前記読み書き可能な記憶手段は不揮発性であることを特徴とする、請求項５記載のインターフェイスモジュール。
【請求項７】
前記記憶手段はリムーバブル記憶媒体であることを特徴とする、請求項１ないし６いずれか一項記載のインターフェイスモジュール。
【請求項８】
前記リムーバブル記憶媒体は、CD-ROM、CD-R、CD-RW、Zip、Minidisk、テープ、およびPCMCIAのうちの一つであることを特徴とする、請求項７記載のインターフェイスモジュール。
【請求項９】
請求項１ないし８いずれか一項記載のモジュールが取り付けられた共通インターフェイスを含むデジタル放送レシーバ。
【請求項１０】
請求項１ないし９いずれか一項記載のモジュールを設けるステップと、
前記モジュールにアプリケーションを記憶するステップと、
前記アプリケーションを配信するステップとを含むデジタル放送レシーバにアプリケーションを配信する方法。
【発明の詳細な説明】
【発明の詳細な説明】
【０００１】
本発明はデジタルアプリケーションのデジタル放送レシーバへの配信に関する。
【０００２】
現代のデジタルテレビレシーバは、インターラクティブなアプリケーションを実行する環境を含んでいる。レシーバは、放送信号を介してアプリケーションを受信する。視聴者にアプリケーションを配信しようとするサードパーティは、放送会社からバンド幅を借りなければならない。既存の好適なレシーバプラットフォームは、DVBマルチメディアホームプラットフォーム、オープンTV、およびメディアハイウェイを含む。「共通インターフェイス」（CI）も設けられており、レシーバはエンコードされた放送ストリームをデスクランブルできる。CIモジュールはCIに挿入されており、レシーバと相互作用する。
【０００３】
WO00/27114には、デジタルテレビ端末を、抽出方法によりSIのフォーマットによらずに、デジタルトランスポートストリームからのSI（システム情報）にアクセス可能とするAPI(アプリケーションプログラミングインターフェイス)が記載されている。それによると、デジタル端末により使用されるアプリケーションは、ネットワークを介してダウンロードされ、製造時にインストールされ、またはスマートカードを介してローカルにロードされる。しかし、そうすることが現実的であるかについては何も記載がなく、CIについてもなんら議論されていない。
【０００４】
それゆえ、本発明は、デジタル放送レシーバのためのインターフェイスモジュールを提供する。該インターフェイスモジュールは、トランスポートストリームジェネレータとアプリケーションを保持する記憶手段とを含み、トランスポートストリームジェネレータはアプリケーションを記憶手段からレシーバによる受け取りのためのインターフェイスに配信するように適合している。
【０００５】
このように、アプリケーションは放送アプリケーションのようにレシーバに到着し、同様に取り扱われる。そのようなアプリケーションの放送を許容する標準があり、本発明のCIモジュールがこれを擬態するので、コンパチビリティの問題が解決される。サードパーティは、バンド幅を借りることなく、また異なるレシーバのために複数のモジュールの在庫を準備して持つことなく、アプリケーションを配信できる。
【０００６】
インターフェイスモジュールは、そのようなレシーバの共通インターフェイスに好ましくは適合されるが、本発明は将来において開発されるかもしれないインターフェイスにも適用できる。
【０００７】
モジュールは、アプリケーションをそのままの場所で、例えば、リードオンリ記憶手段に記憶したままで、準備可能である。あるいは、モジュールは、開発者がモジュールを一般的な運搬手段として使えるように、書き込み可能かつ好ましくは不揮発性の記憶手段で供給することができる。さらなる開発において、モジュールの記憶手段は、CD-ROM、CD-R、CD-RW、Zip、Minidisk、テープ、PCMCIA等のリムーバブルな記憶メディアであってもよい。
【０００８】
本発明は、上記のいずれかのモジュールが取り付けられた共通インターフェイスを有するデジタル放送レシーバにも関する。
【０００９】
本発明は、さらに、上記のいずれかのモジュールを設けるステップと、アプリケーションをモジュールに記憶するステップと、モジュールを配信するステップを含むデジタル放送レシーバにアプリケーションを配信する方法にも関する。
【００１０】
本発明の実施形態について、例示のために、本発明によるモジュールが添付されたデジタル放送レシーバの構成を概略図として示す添付した図１を参照して説明する。
【００１１】
図１において、デジタル放送レシーバ１０には、入力１２を介して、放送ストリーム１４が入力される。これは、チューナ／デモジュレータ１６に送られ、データストリームが抽出され、共通インターフェイス（CI）１８に送られる。ホストCI１８からの信号は、２０でデマルチプレックスされ、デコーダ２２に送られる。デコーダ２２のオーディオとビデオの出力は、ディスプレイ２４を介して見ることができる。
【００１２】
インターラクティブアプリケーションが放送される場合、デマルチプレクサ２０に送られた後、インターラクティブアプリケーションはアプリケーション実行環境２６に入力される。アプリケーション実行環境２６は、アプリケーションを実行し、その結果をディスプレイ２４または入出力デバイス３０に入力する。デジタルスイッチ３２は、信号をA/Vでコーダ２２からディスプレイ２４に向け、および／またはアプリケーション実行環境２６により必要に応じて作られたグラフィックオーバーレイを受信する。
【００１３】
図１は、ホストCI１８に取り付けられたCIモジュール３４も示す。これはそれ自身のCIバス３６を含み、ホスト１０のCIとつながる。モジュール３４の中に、ストレージエレメント３８は、スイッチャとマルチプレクサ４０を介してモジュールCI３６と通信する。コントロールアプリケーション４２は、適当に動作することを確保する。
【００１４】
本発明と調和して、マルチプレクサ４０はストレージ３８とモジュールCI３６の間に設けられる。これにより、モジュール３４に記憶されたアプリケーションは、あたかも放送信号１４からチューナ／デモジュレータ１６を介して受信されたように、ホストデマルチプレクサ３４にモジュールCI３６とホストCI１８を介して送られる。本発明によると、標準的な送信フォーマットを、放送信号１４の送信フォーマットに対応するモジュール３４に実施することができる。
【００１５】
もちろん、本発明から逸脱することなく、上に説明した例示としての実施形態に、多くの変更を加えてもよいことは理解される。特に、ファイヤワイヤ規格をハードウェアのプロトコルおよび共通インターフェイスを介したアプリケーションを送る方法として使用してもよい。
【図面の簡単な説明】
【００１６】
【図１】本発明によるモジュールが添付されたデジタル放送レシーバの構成を示す概略図である。
【図１】
2005513923.tif 000003
【国際調査報告】
2005513923.tif 000004
2005513923.tif 000005
2005513923.tif 000006